(57)【特許請求の範囲】
【請求項１】
画像を読取って、読取った画像データを光信号として出力するスキャナと、
画像データを光信号として出力し、かつ、光信号を伝送するための光分配装置を介して前記スキャナから画像データの光信号を入力するコントローラと、
前記スキャナ及び前記コントローラの両方から前記光分配装置を介して画像データが入力され、感光体上に当該画像データに応じた画像を形成する光走査装置及び前記光分配装置を筐体内部に含む画像形成装置と、
を備えたマルチファンクションシステムであって、
前記光分配装置の前記コントローラから出力された画像データの光信号が入力される第１の光信号入力部及び前記スキャナから出力された画像データの光信号が入力される第２の光信号入力部の両方が前記筺体から露出された、または、前記第１の光信号入力部のみが前記筐体から露出されたことを特徴とするマルチファンクションシステム。
【請求項２】
前記スキャナは前記画像処理装置の筐体内部に含まれることを特徴とする請求項１記載のマルチファンクションシステム。
【請求項３】
前記光分配装置は、前記第１の光信号入力部と、前記コントローラへ光信号を出力する第１の光信号出力部と、が第１の側に配置されており、前記光走査装置へ光信号を出力する第２の光信号出力部は前記第１の側と異なる第２の側に配置されており、
前記第２の光信号入力部が設けられた側と反対側の一部に前記第２の光信号入力部から入力された光信号を前記第１の側又は前記第２の側に反射させる反射手段をさらに備えたことを特徴とする請求項１または請求項２に記載のマルチファンクションシステム。
【発明の詳細な説明】
【０００１】
【発明の属する技術分野】
本発明は信号処理装置及び光伝送媒体に係り、特に、複数の機器が光伝送媒体を介して接続された信号処理装置及び光伝送媒体に関する。
【０００２】
【従来の技術】
近年、画像情報をデジタル信号として取り扱うことで、例えばコピー機能、スキャナ機能、プリンタ機能、ファクシミリ機能といった複数の機能を１台もしくは１つのシステムで利用可能にするマルチファンクションシステムが知られている。これらの機能は、それぞれ専用のユニットで処理され、電気的なバスを介し、電気信号として相互あるいは一方向に伝送される。
【０００３】
【発明が解決しようとする課題】
電気配線を用いるバス構造ではデータビットの増大に伴う配線数の増大や配線密度の増加に伴うクロストーク、信号転送速度の制約の問題があるため、これらを光伝送媒体を用いて行うことを本発明者らは検討している。
【０００４】
このようなマルチファンクションシステムの一例を図９に示す。図９に示すように、マルチファンクションシステム１００は、光走査装置１０２、スキャナ１０４、コントローラ１１０が光分配装置１０６に接続された構成であり、プリント処理やコピー処理、スキャン処理を行うことができる。
【０００５】
図９に示すマルチファンクションシステムの実際の装置の構成例を図１０に示す。図１０に示すように、マルチファンクションシステム１００は、光走査装置１０２、スキャナ１０４、及び光分配装置１０６等を含んで構成された信号処理装置としての画像形成装置１０８にコントローラ１１０が接続された構成となっている。光走査装置１０２及びスキャナ１０４は，光ファイバ１１２，１１４により光分配装置１０６とそれぞれ接続されている。
【０００６】
また、光分配装置１０６は、画像形成装置１０８の端部に設けられた光ファイバ接続用コネクタ１１６、１１８と中継用光ファイバ１２０、１２２を介してそれぞれ接続されている。また、光ファイバ接続用コネクタ１１６、１１８は、光ファイバ１２４、１２６を介してコントローラ１１０と接続されている。そして、光分配装置１０６は、光ファイバ接続用コネクタ１２０、１２２に接続されたコントローラ１１０からのデータを光走査装置１０６へ出力したり、スキャナ１０４からのデータをコントローラ１１０へ出力したりする。
【０００７】
コントローラ１１０は例えばプリンタコントローラ等の外部機器であり、例えばネットワークに接続されたＤＦＥ（Ｄｉｇｉｔａｌ  Ｆｒｏｎｔ  Ｅｎｄ）やＢＥＰ（Ｂａｃｋ  Ｅｎｄ  Ｐｒｏｃｅｓｓｏｒ）である。
【０００８】
このようなシステムにおけるプリント処理について説明すると、コントローラ１１０から出力されたプリントデータは光ファイバ１２４を介して画像形成装置１０８内に光信号として入力され、、中継用光ファイバ１２０を通って光分配装置１０６へと入射される。そして、入射光は拡散光となって光分配装置１０６内を伝搬し、光ファイバ１１２、中継用光ファイバ１２２へ出射され、光走査装置１０２へ導かれると共に、光ファイバ１２６を介してコントローラ１１０へと導かれる。
【０００９】
光走査装置１０２では、このプリントデータを受信し、例えば感光体上にプリントデータに応じた画像を形成し、用紙への印字を行なう。なお、このプリントデータと同じデータがコントローラ１１０へも導かれるが、これらのデータはコントローラ１１０側では無視される。
【００１０】
次に、コピー処理について説明すると、スキャナ１０４により読み取られたコピーデータは、スキャナ１０４内に設けられたＩＰＳ（画像処理装置）を経由して光ファイバ１１４を介して光分配装置１０６へと入射する。なお、図１０ではスキャナ１０４が画像形成装置１０８内部に配置されているが、コントローラ１１０と同様に外部機器として接続してもよい。そして、入射光は拡散光となって光分配装置１０６内を伝搬し、光ファイバ１１２、中継用光ファイバ１２２へ出射され、光走査装置１０２へと導かれると共に光ファイバ１２６を介してコントローラ１１０へと導かれる。
【００１１】
光走査装置１０２では、このコピーデータを受信し、例えば感光体上にコピーデータに応じた画像を形成し、用紙への印字を行なう。なお、このコピーデータと同じデータがコントローラ１１０へも導かれるが、これらのデータはコントローラ１１０側では無視される。
【００１２】
次に、スキャン処理について説明すると、スキャナ１０４により読み取られたスキャンデータは、ＩＰＳを経由して光ファイバ１１４を介して光分配装置１０６へと入射する。入射光は拡散光となって光分配装置１０６内を伝搬し、光ファイバ１１２、中継用光ファイバ１２２へ出射され、光走査装置１０２へと導かれると共に光ファイバ１２６を介してコントローラ１１０へと導かれる。
【００１３】
コントローラ１１０では、このスキャンデータを受信し、画像の取り込みを行う。なお、このスキャンデータと同じデータが光走査装置１０２へも導かれるが、これらのデータは光走査装置１０２側では無視される。なお、光走査装置１０２側でこのスキャンデータに応じたコピー動作を同時に行うことも可能である。
【００１４】
このような光分配装置を用いたマルチファンクションシステムでは、データ伝送速度を高速化することができると共に、電線の数を減らすことができるため、接続配線の高密度化による電磁ノイズを抑制することができる。
【００１５】
しかしながら、図１０に示すマルチファンクションシステム１００では外部機器であるコントローラ１１０と画像形成装置１０８内の光分配装置１０６との間の中継経路が複雑になる。このため、中継用光ファイバの数が増え、中継による伝送光量が劣化する場合がある、という問題がある。
【００１６】
本発明は、上記事情に鑑み、各機器を中継する光ファイバの数を削減することができ、伝送光量の劣化を防ぐことができる画像形成装置及び光分配装置を
備えたマルチファンクションシステムを提供することを目的とする。
【００１７】
【課題を解決するための手段】
上記目的を達成するために、請求項１記載の発明は、画像を読取って、読取った画像データを光信号として出力するスキャナと、画像データを光信号として出力し、かつ、光信号を伝送するための光分配装置を介して前記スキャナから画像データの光信号を入力するコントローラと、前記スキャナ及び前記コントローラの両方から前記光分配装置を介して画像データが入力され、感光体上に当該画像データに応じた画像を形成する光走査装置及び前記光分配装置を筐体内部に含む画像形成装置と、を備えたマルチファンクションシステムであって、前記光分配装置の前記コントローラから出力された画像データの光信号が入力される第１の光信号入力部及び前記スキャナから出力された画像データの光信号が入力される第２の光信号入力部の両方が前記筺体から露出された、または、前記第１の光信号入力部のみが前記筐体から露出されたことを特徴とする。
【００１８】
この発明によれば、光信号を伝送するための光分配装置には、スキャナ、コントローラ、及び光走査装置が接続され、該光分配装置を介してスキャナ、コントローラ、及び光走査装置間の通信が行われる。光分配装置と前記スキャナ、コントローラ、及び光走査装置とは例えば光ファイバなどにより接続される。また、この光分配装置及び光走査装置は、信号処理装置である画像形成装置の筐体内部に設けられている。そして、光分配装置のコントローラから出力された画像データの光信号が入力される第１の光信号入力部及びスキャナから出力された画像データの光信号が入力される第２の光信号入力部の両方が前記筺体から露出されている、または、前記第１の光信号入力部のみが筐体から露出されている。すなわち、光分配装置は、光信号入出力部が筐体近傍に位置するように配置されている。これにより、コントローラ及びスキャナの少なくとも一方を光ファイバなどを介して直接光分配装置に接続することができるため、画像形成装置内部の中継用の光ファイバなどの数を減らすことができる。従って、装置を簡単かつ安価に構成することができると共に、中継による伝送光量の劣化を防ぐことができる。
【００１９】
また、請求項２にも記載したように、前記スキャナは前記画像処理装置の筐体内部に含まれることができる。
【００２３】
請求項３記載の発明は、請求項１または請求項２に記載のマルチファンクションシステムにおいて、前記光分配装置は、前記第１の光信号入力部と、前記コントローラへ光信号を出力する第１の光信号出力部と、が第１の側に配置されており、前記光走査装置へ光信号を出力する第２の光信号出力部は前記第１の側と異なる第２の側に配置されており、前記第２の光信号入力部が設けられた側と反対側の一部に前記第２の光信号入力部から入力された光信号を前記第１の側又は前記第２の側に反射させる反射手段をさらに備えたことを特徴とする。
【００２４】
この発明によれば、光分配装置は、前記第１の光信号入力部と、前記コントローラへ光信号を出力する第１の光信号出力部と、が第１の側に配置されており、前記光走査装置へ光信号を出力する第２の光信号出力部は前記第１の側と異なる第２の側に配置されている。そして、この光分配装置には、前記第２の光信号入力部が設けられた側と反対側の一部に前記第２の光信号入力部から入力された光信号を前記第１の側又は前記第２の側に反射させる反射手段がさらに備えられている。これにより、例えばコントローラからのプリントデータは前記第２の光信号入力部が設けられた側と反対側の反射手段が備えられていない部分から光走査装置へ送信され、スキャナからのスキャンデータは反射手段で反射されてコントローラへ送信される。
【００２５】
このように、前記第２の光信号入力部が設けられた側と反対側の一部に反射手段が設けられているため、同じ側に配置された機器同士で特別な配線をすることなく通信することができるため、配線を減らすことができ、装置を簡単かつ安価に構成することができる。
【００２８】
【発明の実施の形態】
［第１実施形態］
以下、本発明の第１実施形態について説明する。図１には、本発明に係るマルチファンクションシステム１０が示されている。
【００２９】
図１に示すように、マルチファンクションシステム１０は、複数（図１において４個）のモジュール（機器）１２Ａ、１２Ｂ、１２Ｃ、１２Ｄが、光ケーブル１４Ａ〜１４Ｄを介して光分配装置１６に各々接続された構成となっている。光ケーブル１４Ａ〜１４Ｄは、複数の光ファイバが束ねられた構成となっている。
【００３０】
光分配装置１６は、図１に示すように、シート状の光伝送媒体１８とクラッド層２０とが交互に積層された光シートバスを含んで構成され、最下層の光伝送媒体１８Ａは、電源制御やコマンドステータス通信、同期タイミング信号用の層として設けられている。また、光伝送媒体１８の一方の端面（図１において左側）には機器１２Ａ〜１２Ｃからの光信号の入射を担う送信ノード２２Ａ〜２２Ｃや光伝送媒体１８Ａからの光信号の受信を担う受信ノード２４Ａ〜２４Ｃが、他方の端面には光伝送媒体１８からの光信号の受信を担う受信ノード２４Ｄや機器１２Ｄからの光信号の入射を担う図示しない送信ノードが接続されている。
【００３１】
モジュール１２Ａ〜１２Ｄは、送信回路２８、発光器３０、受光器３２、及び受信回路３４をそれぞれ備えている。発光器３０は、例えば複数のレーザダイオードで構成され、光ケーブル１４Ａ〜１４Ｄにそれぞれ接続されている。
【００３２】
送信回路２８では、入力されたデータを発光器３０へ出力する。これにより、発光器３０では、入力されたデータに応じた光信号を各光ケーブル１４Ａ〜１４Ｃへ出射する。出射された光信号は、各光ケーブル、送信ノード２２Ａ〜２２Ｃを通って光伝送媒体１８へ入射され、光伝送媒体１８内を伝搬して受信ノード２２Ｄから出射される。受信ノード２２Ｄから出射された光信号は光ケーブル１４Ｄを通ってモジュール１２Ｄの受光器３２へ入射される。
【００３３】
受光器３２は、例えば複数のフォトダイオードで構成されており、受光器３２へ入射された光信号は電気信号に変換され、受信回路３４で受信される。このようにしてモジュール１２Ａ〜１２Ｃからモジュール１２Ｄへデータが送信される。
【００３４】
このようなマルチファンクションシステム１０は、例えばコピー機能等を備えた画像形成装置にスキャナやコントローラ等の外部機器を接続した構成とすることができ、この場合には、例えば図２に示すようにモジュール１２Ａがコントローラ、モジュール１２Ｂがスキャナ，モジュール１２Ｄが光走査装置を含むプリンタとなる。
【００３５】
図２に示すマルチファンクションシステム１０は、光走査装置１２Ｄ及び光分配装置１６等を含んで構成された信号処理装置としての画像形成装置１１にコントローラ１２Ａ及びスキャナ１２Ｂが接続された構成となっている。
【００３６】
ここで、光分配装置１６は、画像形成装置１１の筐体の図２において左側端部に配置されている。また、光分配装置１６には、光ファイバと接続するための光コネクタ４０〜４３が設けられている。この光コネクタ４０〜４３は、光ファイバと図１に示した送信ノード又は受信ノードとを直接接続するためのコネクタであり、画像形成装置１１の筐体に予め設けられた開口部から外部に露出され、直接光ファイバと接続される。すなわち、光分配装置１６は、光シートバスに光コネクタが接続された１つのアセンブリとして供給され、このアセンブリを画像形成装置１１の筐体の所定位置に容易に取り付けることができるようになっている。
【００３７】
図２において光分配装置１６の右上部に設けられた光コネクタ４０は、光ファイバ５０の一端と接続されており、光ファイバ５０の他端は光走査装置１２Ｄと接続されている。
【００３８】
図２において光分配装置１６の右下部に設けられた光コネクタ４１は、光ファイバ５１の一端と接続されており、光ファイバ５１の他端は画像形成装置１１の図２において左側端部に設けられた光ファイバ接続用コネクタ６０と接続されている。さらに、この光ファイバ接続用コネクタ６０は、光ファイバ６１の一端と接続されており、光ファイバ６１の他端はコントローラ１２Ａと接続されている。
【００３９】
図２において光分配装置１６の左上部に設けられた光コネクタ４２は、光ファイバ５２の一端と接続されており、光ファイバ５２の他端はコントローラ１２Ａと接続されている。
【００４０】
図２において光分配装置１６の左下部に設けられた光コネクタ４３は、光ファイバ５３の一端と接続されており、光ファイバ５３の他端はスキャナ１２Ｂと接続されている。
【００４１】
次に、このようなマルチファンクションシステムにおける各処理について説明する。
【００４２】
まず、プリント処理について説明すると、コントローラ１２Ａから出力されたプリントデータの光信号は光ファイバ５２を通って光分配装置１６内に入射される。そして、入射光は拡散光となって光分配装置１６内を伝搬し、光ファイバ４０、４１へ出射され、光走査装置１２Ｄへと導かれると共に光ファイバ５１、６１を介してコントローラ１２Ａへと導かれる。
【００４３】
光走査装置１２Ｄでは、このプリントデータを受信し、例えば感光体上にプリントデータに応じた画像を形成し、用紙への印字を行なう。なお、このプリントデータと同じデータがコントローラ１２Ａへも導かれるが、これらのデータはコントローラ１２Ａ側では無視される。
【００４４】
次に、コピー処理について説明すると、スキャナ１２Ｂにより読み取られたコピーデータは、スキャナ１２Ｂ内に設けられたＩＰＳ（画像処理装置）を経由して光ファイバ５３を介して光分配装置１６へと入射する。そして、入射光は拡散光となって光分配装置１６内を伝搬し、光ファイバ５０、５１へ出射され、光走査装置１２Ｄへと導かれると共に光ファイバ５１、６１を介してコントローラ１２Ａへと導かれる。
【００４５】
光走査装置１２Ｄでは、このコピーデータを受信し、例えば感光体上にコピーデータに応じた画像を形成し、用紙への印字を行なう。なお、このコピーデータと同じデータがコントローラ１２Ａへも導かれるが、これらのデータはコントローラ１２Ａ側では無視される。
【００４６】
次に、スキャン処理について説明すると、スキャナ１２Ｂにより読み取られたスキャンデータは、ＩＰＳを経由して光ファイバ５３を介して光分配装置１６へと入射する。そして、入射光は拡散光となって光分配装置１６内を伝搬し、光ファイバ５０、５１へ出射され、光走査装置１２Ｄへと導かれると共に光ファイバ５１、６１を介してコントローラ１２Ａへと導かれる。
【００４７】
コントローラ１２Ａでは、このスキャンデータを受信し、画像の取り込みを行う。なお、このスキャンデータと同じデータが光走査装置１２Ｄへも導かれるが、これらのデータは光走査装置１２Ｄ側では無視される。なお、光走査装置１２Ｄ側でこのスキャンデータに応じたコピー動作を同時に行うことも可能である。
【００４８】
このように、光分配装置１６が画像形成装置１１の端部に配置され、光分配装置１６の光コネクタ４２，４３に光ファイバ５２，５３が直接接続されているため、例えばプリント処理では、コントローラ１２Ａからのプリントデータが光ファイバ５２を介して直接光分配装置１６に入射される。すなわち、プリントデータが中継用光ファイバを介さずに直接光分配装置１６に入射するため、配線を簡単にすることができると共に中継による伝送特性の劣化を防ぐことができる。また、光ファイバと中継用光ファイバとを接続するための光ファイバ接続用コネクタは、その位置合わせに高精度が要求されるためコストが高くなるが、光コネクタ４２，４３に対してこのような問題がないため、コストを抑えることができる。従って、装置を簡単かつ安価な構成とすることができる。
【００４９】
また、配線を簡略化することができるため、様々なシステムの構成にフレキシブルに対応することができる。例えば、光コネクタ４２、４３は、図２、図３に示すように、画像形成装置１１の筐体の同一の側面に設けてもよいが、図４に示すように、光分配装置１６を画像形成装置１１の角の部分に配置し、光コネクタ４２が画像形成装置１１の側面に、光コネクタ４３が画像形成装置１１の上面に配置されるようにしてもよい。この場合、例えば図５（Ａ）に示すような構成とすることができる。図５（Ａ）に示す光分配装置１６には、スキャナ１２Ｂからのコピーデータを光走査装置１２Ｄへ向けて反射させるミラー６２が光分配装置１６内に設けられている。これにより、光分配装置１６を画像形成装置１１の角の部分に配置し、光コネクタ４２が画像形成装置１１の側面に、光コネクタ４３が画像形成装置１１の上面に配置されるようにした場合においても、コピー処理、プリント処理、及びスキャン処理の各処理を行うことができる。なお、図５（Ｂ）に示すように、例えば光分配装置１６の左上にミラー６２を貼り付けた構成としてもよい。
【００５０】
［第２実施形態］
次に、本発明の第２実施形態について説明する。
【００５１】
第２実施形態では、光コネクタの変形例について説明する。なお、第１実施形態で説明したマルチファンクションシステム１０と同一部分には同一符号を付し、その詳細な説明は省略する。
【００５２】
図６には、第２実施形態に係るマルチファンクションシステム１０が示されている。
【００５３】
図６に示すように、光分配装置１６は、画像形成装置１１の図６において左下の角部分に配置されており、光コネクタ４１、４２、４３の光ファイバと接続される側の一端が外部に露出されている。このように、光分配装置１６が画像形成装置１６の筐体端部に配置されているため、中継の光ファイバ等が必要なく、コントローラ１２Ａやスキャナ１２Ｂなどの外部機器を光ファイバ５１、５２を介して直接光分配装置１６に接続することができる。
【００５４】
また、光コネクタ４１、４２は、図６に示すように略直角に折れ曲がった形状となっており、入射光を略９０度方向変換して出射する形状となっている。この方向変換には、光ファイバと同様の全反射現象を利用したり、コネクタの途中経路に反射体を設けることにより実現することができる。
【００５５】
また、光分配装置１６を筐体端面の直近に配置することができない場合でも、光ファイバを光分配装置１６の接合面まで誘導するガイドを設けてもよい。これにより、中継の光ファイバを無くすことができる。
【００５６】
このとき、光ファイバの誘導路が、ファイバに許容される最小曲率半径以上の曲線または直線であるようにすることで、ファイバの伝送特性を劣化させることなく接続することが可能になる。
【００５７】
更に、光ファイバの誘導路は、ファイバの先端部を傷つけて光分配装置との光学的接合や光拡散に対して影響が出ることの無いように、その材料や表面処理材料、表面の状態を滑らかに形成することが好ましい。また、同様に、光ファイバを光分配装置に接続した状態に於ける機器の稼動、移動などに伴う振動やストレスにより、光ファイバの光伝送特性、特に全反射特性の劣化による伝送光量劣化をさせることがないようにすることが好ましい。
【００５８】
また、光ファイバの先端には、先端を保護したり、光分配装置との接続位置の精度出しをしたり、光分配装置との接続安定性を向上させたりすることができる光コネクタを装着することにより、より信頼性を高めることができる。
【００５９】
［第３実施形態］
次に、本発明の第３実施形態について説明する。なお、第１実施形態で説明したマルチファンクションシステム１０と同一部分には同一符号を付し、その詳細な説明は省略する。
【００６０】
図７に示すマルチファンクションシステム１０では、光分配装置１６の光走査装置１２Ｄが接続される側で、かつ光ファイバ５０が接続される部分を除いた一部分に反射ミラー８０が取り付けられている。
【００６１】
このため、スキャナ１２Ｂから光分配装置１６に入射されたスキャンデータは、反射ミラー８０により反射されてコントローラ１２Ａに入力される。このように、光分配装置１６の光走査装置１２Ｄ側の一部分に反射ミラー８０が取り付けられているため、画像形成装置１１内部の光ファイバの配線を減らすことができると共に、外部機器の接続を見栄え良くすることができる。
【００６２】
なお、図８に示すように、スキャナ１２Ｂを画像形成装置１１内部に設けた場合には、光分配装置１６のコントローラ１２Ａが接続される側で、かつ光ファイバ５２が接続される部分を除いた一部分に反射ミラー８０を取り付ければよい。これにより、光ファイバの配線を減らすことができると共に、外部機器の接続を見栄え良くすることができる。
【００６３】
【発明の効果】
以上説明したように、本発明によれば、中継用の光ファイバを減らすことができるため、配線を簡単にすることができると共に中継による伝送特性の劣化を防ぐことができる、という効果を有する。
【図面の簡単な説明】
【図１】  第１実施形態に係るマルチファンクションシステムの概略構成図である。
【図２】  第１実施形態に係るマルチファンクションシステムの具体的構成を示す図である。
【図３】  光コネクタの配置例を示す図である。
【図４】  光コネクタの配置例を示す図である。
【図５】  図４に示した光コネクタの配置例を適用したマルチファンクションシステムの具体的な構成図である。
【図６】  第２実施形態に係るマルチファンクションシステムの概略構成図である。
【図７】  第３実施形態に係るマルチファンクションシステムの概略構成図である。
【図８】  第３実施形態に係るマルチファンクションシステムの概略構成図である。
【図９】  従来におけるマルチファンクションシステムの概略構成図である。
【図１０】  従来におけるマルチファンクションシステムの概略構成図である。
【符号の説明】
１０    マルチファンクションシステム
１１    画像形成装置
１２Ａ    コントローラ
１２Ｂ    スキャナ
１２Ｄ    光走査装置
１６    光分配装置
４０、４１、４２、４３    光コネクタ
５０、５１、５２、５３    光ファイバ
【図１】
0004006930.tif 000002
【図２】
0004006930.tif 000003
【図３】
0004006930.tif 000004
【図４】
0004006930.tif 000005
【図５】
0004006930.tif 000006
【図６】
0004006930.tif 000007
【図７】
0004006930.tif 000008
【図８】
0004006930.tif 000009
【図９】
0004006930.tif 000010
【図１０】
0004006930.tif 000011